(57)【要約】【課題】電磁波測定の際の時間と手間を大幅に削減する。【解決手段】反射用被測定物７を床面に垂直な軸周りに自転させる回転台２と、回転台２の中心と略一定距離を保って床面に延設されたレール１１と、レール１１に沿って移動可能な送信アンテナ１０と、固定設置された受信アンテナ６と、が電波暗室１内に設置されている。そして、反射用被測定物７の反射面７ａの法線７ｂと受信アンテナ６の開口面６ａの法線６ｂとが所定角度θをなすように、回転台２の回転角度を調整し、反射用被測定物７の反射面７ａの法線７ｂと送信アンテナ１０の開口面１０ａの法線１０ｂとのなす角度が所定角度θと等しくなるように、送信アンテナ１０の位置を調整して反射量測定を行う。【選択図】　　　　図２
2004101300.tif 000002
【特許請求の範囲】
【請求項１】
反射用被測定物にて反射された電磁波の反射量及び放射用被測定物が放射する電磁波の放射量を測定する装置であって、
反射用被測定物へ電磁波を入射させる送信アンテナと、
反射用被測定物にて反射された電磁波または放射用被測定物が放射する電磁波を受信する受信アンテナと、
配置された被測定物を電磁波の入射方向及び反射方向で定まる平面に垂直な軸周りに自転させる回転台と、
反射用被測定物中心と略一定距離を保って延設されたレールと、
を備え、
送信アンテナ及び受信アンテナのうち、一方のアンテナは固定され、他方のアンテナが前記レールに沿って移動可能であり、
反射量測定を行うときは、回転台に配置された反射用被測定物の反射面の法線と一方のアンテナの開口面の法線とが所定角度をなすように、前記回転台の回転角度が調整され、反射用被測定物の反射面の法線と他方のアンテナの開口面の法線とのなす角度が前記所定角度と等しくなるように、他方のアンテナの位置が前記レールに沿って調整され、
放射量測定を行うときは、回転台に配置された放射用被測定物から放射される電磁波を、固定された方のアンテナを受信アンテナとして用いて受信し、
電磁波反射量測定と電磁波放射量測定の両方を兼用可能とすることを特徴とする電磁波測定装置。
【請求項２】
請求項１に記載の電磁波測定装置であって、
前記他方のアンテナと前記レールとを接続し、表面に電磁波吸収材を有するアンテナ治具を備えることを特徴とする電磁波測定装置。
【請求項３】
反射用被測定物へ電磁波を入射させる送信アンテナと、反射用被測定物にて反射された電磁波または放射用被測定物が放射する電磁波を受信する受信アンテナと、配置された被測定物を電磁波の入射方向及び反射方向で定まる平面に垂直な軸周りに自転させる回転台と、反射用被測定物中心と略一定距離を保って延設されたレールと、を備え、送信アンテナ及び受信アンテナのうち、一方のアンテナは固定され、他方のアンテナが前記レールに沿って移動可能である電磁波測定装置を用いて、反射用被測定物にて反射された電磁波の反射量及び放射用被測定物が放射する電磁波の放射量を測定する方法であって、
反射量測定を行うときは、回転台に配置された反射用被測定物の反射面の法線と一方のアンテナの開口面の法線とが所定角度をなすように、前記回転台の回転角度を調整し、反射用被測定物の反射面の法線と他方のアンテナの開口面の法線とのなす角度が前記所定角度と等しくなるように、他方のアンテナの位置を前記レールに沿って調整し、送信アンテナから反射用被測定物へ電磁波を入射させて反射された電磁波を受信アンテナで受信し、
放射量測定を行うときは、回転台に配置された放射用被測定物から放射される電磁波を、固定された方のアンテナを受信アンテナとして用いて受信し、
電磁波反射量測定と電磁波放射量測定の両方を兼用可能とすることを特徴とする電磁波測定方法。
【発明の詳細な説明】
【０００１】
【発明の属する技術分野】
本発明は、電磁波測定装置及び電磁波測定方法に関し、特に、反射用被測定物にて反射された電磁波の反射量及び放射用被測定物が放射する電磁波の放射量を測定する装置及び方法に関する。
【０００２】
【従来の技術】
電波暗室（内壁面に電波吸収体が貼り巡らされている部屋）内では、電子機器から放射されるノイズ測定や無線機器からの送信パワー測定が行われている。これらの測定を行う電波暗室内には、電子機器等の放射用被測定物からの電磁波を受信するために固定設置されたアンテナと、様々な方向の放射量を測定するために、配置された電子機器等を回転させる回転台と、が備えられている。
【０００３】
一方、この電波暗室内で反射用被測定物の電磁波反射量を測定するためには、スフェリカルポジショナと呼ばれる反射量測定専用の装置を電波暗室内に搬入して行う。図３に示す一般的なスフェリカルポジショナを用いた反射量測定においては、送信アンテナ２０及び受信アンテナ１６を天井側から床面に向け、反射用被測定物１７の反射面１７ａを上面に配置した状態で反射量の測定を行う。そして、反射用被測定物１７に対する電磁波の入反射角θを変える場合は、反射用被測定物１７を固定した状態で送信アンテナ２０及び受信アンテナ１６の両方の位置を変えることにより、様々な入反射角における反射量の測定が可能となる。
【０００４】
【発明が解決しようとする課題】
この従来の電波暗室内での電磁波測定においては、電磁波反射量を測定する際に、スフェリカルポジショナを電波暗室内に搬入する必要がある。スフェリカルポジショナは非常に大掛かりな装置であるため、搬入、設置等の反射量測定の準備に多大の時間と手間が必要となってしまう。さらに、反射量測定後に放射用被測定物の放射量を測定する場合は、放射量の測定に影響を与えないためにスフェリカルポジショナを電波暗室から搬出しなければならないので、測定準備に多大の時間と手間が必要となってしまう。以上のように、この従来の電波暗室内での電磁波測定においては、測定の際に多大の時間と手間を要するという課題があった。
【０００５】
本発明は上記課題に鑑みてなされたものであり、放射量測定を行う装置から簡単な改良によって反射量測定を行う装置を実現することで、測定の際の時間と手間を大幅に削減できる電磁波測定装置及び電磁波測定方法を提供することを目的とする。
【０００６】
【課題を解決するための手段】
このような目的を達成するために、第１の本発明に係る電磁波測定装置は、反射用被測定物にて反射された電磁波の反射量及び放射用被測定物が放射する電磁波の放射量を測定する装置であって、反射用被測定物へ電磁波を入射させる送信アンテナと、反射用被測定物にて反射された電磁波または放射用被測定物が放射する電磁波を受信する受信アンテナと、配置された被測定物を電磁波の入射方向及び反射方向で定まる平面に垂直な軸周りに自転させる回転台と、反射用被測定物中心と略一定距離を保って延設されたレールと、を備え、送信アンテナ及び受信アンテナのうち、一方のアンテナは固定され、他方のアンテナが前記レールに沿って移動可能であり、反射量測定を行うときは、回転台に配置された反射用被測定物の反射面の法線と一方のアンテナの開口面の法線とが所定角度をなすように、前記回転台の回転角度が調整され、反射用被測定物の反射面の法線と他方のアンテナの開口面の法線とのなす角度が前記所定角度と等しくなるように、他方のアンテナの位置が前記レールに沿って調整され、放射量測定を行うときは、回転台に配置された放射用被測定物から放射される電磁波を、固定された方のアンテナを受信アンテナとして用いて受信し、電磁波反射量測定と電磁波放射量測定の両方を兼用可能とすることを特徴とする。
【０００７】
このように、配置された被測定物を電磁波の入射方向及び反射方向で定まる平面に垂直な軸周りに自転させる回転台と、反射用被測定物中心と略一定距離を保って延設されたレールと、を備え、他方のアンテナがレールに沿って移動可能となっている。そして、反射量測定を行うときは、回転台に配置された反射用被測定物の反射面の法線と一方のアンテナの開口面の法線とが所定角度をなすように、回転台の回転角度が調整され、反射用被測定物の反射面の法線と他方のアンテナの開口面の法線とのなす角度がこの所定角度と等しくなるように、他方のアンテナの位置がレールに沿って調整される。したがって、放射量測定を行う装置から簡単な改良によって反射量測定を行う装置を実現でき、改良後は反射量測定の際の測定準備に時間と手間をかけることなく容易に反射量測定を行うことができる。したがって、電磁波反射量測定と電磁波放射量測定の両方を兼用可能とすることができ、測定の際の時間と手間を大幅に削減できる。
【０００８】
第２の本発明に係る電磁波測定装置は、第１の本発明に記載の装置であって、前記他方のアンテナと前記レールとを接続し、表面に電磁波吸収材を有するアンテナ治具を備えることを特徴とする。
【０００９】
このように、他方のアンテナとレールとを接続するアンテナ治具は表面に電磁波吸収材を有しているので、放射量測定を行う際に、アンテナ治具での反射による放射量測定結果への影響を抑えることができ、精度のよい放射量測定が実現できる。
【００１０】
第３の本発明に係る電磁波測定方法は、反射用被測定物へ電磁波を入射させる送信アンテナと、反射用被測定物にて反射された電磁波または放射用被測定物が放射する電磁波を受信する受信アンテナと、配置された被測定物を電磁波の入射方向及び反射方向で定まる平面に垂直な軸周りに自転させる回転台と、反射用被測定物中心と略一定距離を保って延設されたレールと、を備え、送信アンテナ及び受信アンテナのうち、一方のアンテナは固定され、他方のアンテナが前記レールに沿って移動可能である電磁波測定装置を用いて、反射用被測定物にて反射された電磁波の反射量及び放射用被測定物が放射する電磁波の放射量を測定する方法であって、反射量測定を行うときは、回転台に配置された反射用被測定物の反射面の法線と一方のアンテナの開口面の法線とが所定角度をなすように、前記回転台の回転角度を調整し、反射用被測定物の反射面の法線と他方のアンテナの開口面の法線とのなす角度が前記所定角度と等しくなるように、他方のアンテナの位置を前記レールに沿って調整し、送信アンテナから反射用被測定物へ電磁波を入射させて反射された電磁波を受信アンテナで受信し、放射量測定を行うときは、回転台に配置された放射用被測定物から放射される電磁波を、固定された方のアンテナを受信アンテナとして用いて受信し、電磁波反射量測定と電磁波放射量測定の両方を兼用可能とすることを特徴とする。
【００１１】
【発明の実施の形態】
以下、本発明の実施の形態（以下実施形態という）を、図面に従って説明する。
【００１２】
図１は、本発明の実施形態に係る電磁波測定装置が設置された電波暗室内を示す側面図であり、図２は上面図である。本実施形態における電磁波測定装置は、回転台２、送信アンテナ１０、受信アンテナ６及びレール１１を電波暗室１内に備えている。ただし、図１、図２においては電磁波反射量測定を行う場合について示している。
【００１３】
回転台２は、電波暗室１の床面に設けられ、床面に垂直な軸周りに自転可能である。回転台２の略中心には設置台８を介して反射量測定対象である反射用被測定物７が配置されており、これによって反射用被測定物７は床面に垂直な軸周りに自転可能となっている。そして、反射用被測定物７の反射面７ａの法線７ｂが水平方向となるように調整されている。なお、回転台２の回転駆動については、図示しないアクチュエータ及びセンサを用いて回転角度を制御しながら駆動してもよいし、手動で動かしてもよい。
【００１４】
レール１１は、電波暗室１の床面に設けられ、回転台２の中心と略一定距離を保って延設されており、図２に示すように、上面から見て略半円形状となっている。ただし、レール長については、後述する入反射角θの範囲に応じて任意に設定してよい。
【００１５】
送信アンテナ１０は、反射用被測定物７の反射面７ａへ電磁波を入射させる。送信アンテナ１０は、反射用被測定物７と所定距離ｒをおいて配置され、この所定距離ｒを保ちながらレール１１に沿って移動可能である。送信アンテナ１０とレール１１とはアンテナ治具９によって接続されている。そして、送信アンテナ１０から反射用被測定物７の反射面７ａへ電磁波を入射できるように、送信アンテナ１０の床面からの高さ、方向がアンテナ治具９によって調整されている。なお、送信アンテナ１０の駆動については、図示しないアクチュエータ及びセンサを用いて位置を制御しながら駆動してもよいし、手動で動かしてもよい。
【００１６】
受信アンテナ６は、反射用被測定物７の反射面７ａにて反射された電磁波を受信する。受信アンテナ６は、反射用被測定物７と所定距離ｒをおいて配置され、アンテナ昇降台５によって床面に固定設置されている。そして、反射用被測定物７の反射面７ａにて反射された電磁波を受信できるように受信アンテナ６の床面からの高さ、方向がアンテナ昇降台５によって調整されている。
【００１７】
ここで、反射用被測定物７、送信アンテナ１０及び受信アンテナ６の床面からの高さは等しく調整され、反射用被測定物７の反射面７ａの法線７ｂが水平方向となるように調整されている。このような調整を行うことで、回転台２の自転軸が電磁波の入射方向及び反射方向で定まる平面と垂直になっている。
【００１８】
次に、本実施形態における測定方法について図２を用いて説明する。
【００１９】
反射量測定を行う場合は、まず反射用被測定物７の反射面７ａの法線７ｂと受信アンテナ６の開口面６ａの法線６ｂとが所定角度θをなすように、回転台２の回転角度を調整する。次に、反射用被測定物７の反射面７ａの法線７ｂと送信アンテナ１０の開口面１０ａの法線１０ｂとのなす角度が所定角度θと等しくなるように、送信アンテナ１０の位置を調整する。この状態で、送信アンテナ１０から反射用被測定物７の反射面７ａへ電磁波を入射させ、反射用被測定物７の反射面７ａにて反射された電磁波を受信アンテナ６で受信することで、入反射角θにおける反射用被測定物７の反射量測定が行われる。続いて、θの値を変更して上記の調整動作及び測定を繰り返すことで、様々な入反射角θにおける反射量測定を行うことができる。
【００２０】
一方、放射量測定を行う場合は、反射用被測定物７の代わりに図示しない放射用被測定物を配置し、放射用被測定物から放射される電磁波を受信アンテナ６で受信する。回転台２の回転角度を変えて測定を繰り返すことで、様々な方向の放射量測定を行うことができる。
【００２１】
本実施形態においては、反射用被測定物７または放射用被測定物を床面に垂直な軸周りに自転させる回転台２と、回転台２の中心と略一定距離を保って床面に延設されたレール１１と、レール１１に沿って移動可能な送信アンテナ１０と、が電波暗室１内に設置されている。そして、反射量測定を行う場合は、反射用被測定物７の反射面７ａの法線７ｂと受信アンテナ６の開口面６ａの法線６ｂとが所定角度θをなすように、回転台２の回転角度を調整し、反射用被測定物７の反射面７ａの法線７ｂと送信アンテナ１０の開口面１０ａの法線１０ｂとのなす角度が所定角度θと等しくなるように、送信アンテナ１０の位置を調整して反射量測定を行っている。したがって、放射量測定を行う装置から送信アンテナ１０及びレール１１を設置する簡単な改良によって反射量測定を行う装置を実現できる。そして、送信アンテナ１０及びレール１１を設置する改良を行った後は、反射量測定の際の測定準備に時間と手間をかけることなく容易に反射量測定を行うことができる。一方、放射量測定を行う際は、放射用被測定物を回転台２の中心上に配置して受信アンテナ６を用いて測定を行うことができるので、測定準備に時間や手間をかけることなく、容易に放射量測定を行うことができる。以上のように本実施形態においては、反射量測定と放射量測定の両方を兼用可能とすることができるので、測定の際の時間と手間を大幅に削減できる。
【００２２】
なお、本実施形態における放射量測定の際に、アンテナ治具９やレール１１での反射による測定結果への影響を抑えるためには、アンテナ治具９及びレール１１については、例えばＦＲＰ、ポリスチレン、ポリプロピレン、テフロン（登録商標）のような電磁波を透過しやすい低誘電率の材質が用いられることが好ましい。あるいはアンテナ治具９及びレール１１の表面に電磁波吸収材が設けられていることが好ましい。アンテナ治具９及びレール１１の材質を低誘電率の材質とするか、アンテナ治具９及びレール１１の表面に電磁波吸収材を設けることにより、精度のよい放射量測定を行うことができる。
【００２３】
なお、本実施形態における反射量測定の際には、送信アンテナと受信アンテナとを入れ換え、送信アンテナを固定し、受信アンテナがレールに沿って移動可能な構成にして反射量測定を行ってもよい。
【００２４】
【発明の効果】
以上説明したように本発明によれば、電磁波放射量測定を行う装置から簡単な改良によって電磁波反射量測定を行う装置を実現でき、反射量測定と放射量測定の両方を兼用可能とすることができるので、測定の際の時間と手間を大幅に削減できる。
【図面の簡単な説明】
【図１】本発明の実施形態に係る電磁波測定装置が設置された電波暗室内を示す側面図である。
【図２】本発明の実施形態に係る電磁波測定装置が設置された電波暗室内を示す上面図である。
【図３】従来のスフェリカルポジショナを用いた電磁波反射量測定装置が設置された電波暗室内を示す側面図である。
【符号の説明】
１　電波暗室、２　回転台、６　受信アンテナ、７　反射用被測定物、９　アンテナ治具、１０　送信アンテナ、１１　レール。
【図１】
2004101300.tif 000003
【図２】
2004101300.tif 000004
【図３】
2004101300.tif 000005